(57)【要約】【課題】清掃中、清掃用シートに手や掌を触れさせることなく被清掃面を清掃できると共に、特にリビングファブリックの清掃を行う際の清掃効果を高めることのできる清掃用具を提供する。【解決手段】本発明は、板状シート材１１を折曲げ線１２ａ，１２ｂに沿って折り曲げることにより形成され、縁部分に複数の係止用切込み２１ａ，２１ｂが形成された清掃用シート２０を装着して用いる清掃用具１０である。一対の外開き押圧部１３と、一対の外開き押圧部１３の間の部分に立設して配置される立設把持部１５とを備えており、立設把持部１５の立設基端部に、基端部折曲げ線１２ａを介して一対の外開き押圧部１３が連接している。一対の外開き押圧部１３は、清掃用シート２０の係止用切込み２１ａ，２１ｂに挿入係止される係止用突片１４ａ，１４ｂを周縁部に備える。【選択図】図２
2020028433.tif 000002
【特許請求の範囲】
【請求項１】
板状シート材を折曲げ線に沿って折り曲げることにより形成され、縁部分に複数の係止用切込みが形成された清掃用シートを装着して用いる清掃用具であって、
一対の外開き押圧部と、該一対の外開き押圧部の間の部分に立設して配置される立設把持部とを備えており、該立設把持部の立設基端部に、基端部折曲げ線を介して前記一対の外開き押圧部が連接しており、
前記一対の外開き押圧部は、前記清掃用シートの前記係止用切込みに挿入係止される係止用突片を周縁部に備える清掃用具。
【請求項２】
前記一対の外開き押圧部は、前記立設把持部の立設基端部から前記基端部折曲げ線を介して外開きに折り曲げられて、１８０°に満たない開き角度を保持して配置される請求項１記載の清掃用具。
【請求項３】
一枚の板状シート材を折曲げ線に沿って折り曲げることにより形成され、前記立設把持部は、中間部折曲げ線を介して前記立設基端部とは反対側の先端部分で２つ折りに折り曲げられることで、一対の対向面部が対向して配置されるようになっている請求項１又は２記載の清掃用具。
【請求項４】
前記一対の対向面部の少なくとも一部が密着した状態を保持する保持手段を備えている請求項３記載の清掃用具。
【請求項５】
前記立設把持部は、前記一対の対向面部の密着された部分よりも前記立設基端部とは反対側の先端側に、幅広係止部を備えている請求項３又は４記載の清掃用具。
【請求項６】
前記清掃用シートが、水溶液を含浸したウエットシートである請求項１〜５のいずれか１項記載の清掃用具。
【請求項７】
請求項１に記載の清掃用具と、清掃用シートと組み合わせた清掃用セット製品であって、前記清掃用具を形成する板状シート材は、前記一対の外開き押圧部同士を重ねて平坦に畳まれた状態とすることが可能となっており、前記清掃用シートに、平坦に畳まれた前記板状シート材を重ねた状態で、一体として包装されている清掃用セット製品。
【請求項８】
前記板状シート材は、前記一対の外開き押圧部同士を重ねて平坦に畳まれた状態で、矩形状の平面形状を有する前記清掃用シートと同様の大きさの平面形状を備えるようになっている請求項７記載の清掃用セット製品。
【発明の詳細な説明】
【技術分野】
【０００１】
本発明は、清掃用具に関し、特に、縁部分に複数の係止用切込みが形成された清掃用シートを装着して用いる清掃用具に関する。
【背景技術】
【０００２】
清掃用シートは、単層構造又は多層構造のシート材からなり、容易に折り曲げたり湾曲させたりすることが可能な可撓性を備えていることから、手で把持した状態で、湾曲していたり凹凸を有する被清掃面に対しても、清掃面を容易に密着させて、汚れを拭き取ったり掻き取ったりする清掃作業を、効率良く行うことが可能である。
【０００３】
また、清掃用シートを掌に沿って装着させ易くすることで、清掃作業をさらに効率良く行えるようにすることを目的として、縁部分に、指や手を係止させることが可能な複数のスリット（係止用切込み）を設けた清掃用シートが種々提案されている（例えば、特許文献１、特許文献２参照）。
【０００４】
さらに、特許文献１や特許文献２に記載された、複数のスリット状の係止用切込み設けた清掃用シートでは、清掃作業中に、手と清掃用シートとの間に大きなずれが生じ易かったり、手の大きい人と手の小さい人の両者に使用させることが困難であったりしたことから、本願出願人は、特願２０１７−１４１３４６において、縁部分に形成される複数の係止用切込みの配設位置や形状を工夫することによって、手の大小に拘わらず指の挿入を容易にすると共に、指が抜け難く、且つ清掃の際に、手と清掃具との間にずれが生じないようにして、清掃作業を安定した状態で行えるようにしたシート状の清掃具（清掃用シート）を開示している。
【先行技術文献】
【特許文献】
【０００５】
【特許文献１】特開２０００−１０６９３７号公報
【特許文献２】特開２００２−１９１４３７号公報
【発明の概要】
【発明が解決しようとする課題】
【０００６】
しかしながら、縁部分に複数の係止用切込みが形成された清掃用シートでは、係止用切込みに指や手を係止して装着した際に、清掃用シートが掌に常時触れた状態となるため、特に清掃用シートが清掃用の洗浄液等を含浸したウエットシートとなっている場合には、使用者によっては、清掃用シートにできるだけ触れたくないと感じることがあり、またこれによって例えばカーペットやソファー等に用いるリビングファブリックの清掃に使用する際には、清掃用シートを被清掃面に安定した状態で広範囲に押し付けて、清掃効果を高めることが難しくなることがある。
【０００７】
本発明は、清掃中に清掃用シートに手や掌を触れさせることなく、清掃用シートによって被清掃面を清掃する際の操作性を向上させることができると共に、特にカーペットやソファー等に用いるリビングファブリックの清掃を行う際に、清掃用シートを被清掃面に安定した状態で広範囲に押し付けて、清掃効果を高めることのできる清掃用具に関する。
【課題を解決するための手段】
【０００８】
本発明は、板状シート材を折曲げ線に沿って折り曲げることにより形成され、縁部分に複数の係止用切込みが形成された清掃用シートを装着して用いる清掃用具であって、一対の外開き押圧部と、該一対の外開き押圧部の間の部分に立設して配置される立設把持部とを備えている。該立設把持部の立設基端部に、基端部折曲げ線を介して前記該一対の外開き押圧部が連接している。前記一対の外開き押圧部は、前記清掃用シートの前記係止用切込みに挿入係止される係止用突片を周縁部に備える。
【０００９】
また、本発明は、前記清掃用具と、清掃用シートと組み合わせた清掃用セット製品である。前記清掃用具を形成する板状シート材は、前記一対の外開き押圧部同士を重ねて平坦に畳まれた状態とすることが可能となっており、前記清掃用シートに、平坦に畳まれた前記板状シート材を重ねた状態で、一体として包装されている。
【発明の効果】
【００１０】
本発明の清掃用具によれば、清掃中に清掃用シートに手や掌を触れさせることなく、清掃用シートによって被清掃面を清掃する際の操作性を向上させることができると共に、特にカーペットやソファー等に用いるリビングファブリックの清掃を行う際に、清掃用シートを被清掃面に安定した状態で広範囲に押し付けて、清掃効果を高めることができる。
【図面の簡単な説明】
【００１１】
【図１】本発明の好ましい一実施形態に係る清掃用具を示す斜視図である。
【図２】本発明の好ましい一実施形態に係る清掃用具を、清掃用シートを装着した状態で示す斜視図である。
【図３】本発明の好ましい一実施形態に係る清掃用具を形成する板状シート材の展開図である。
【図４】清掃用シートを例示する平面図である。
【図５】清掃用具の立設把持部の一対の対向面部を密着された状態を説明する断面図である。
【図６】本発明の好ましい他の実施形態に係る清掃用具を、例示する斜視図である。
【発明を実施するための形態】
【００１２】
図１及び図２に示す本発明の好ましい一実施形態に係る清掃用具１０は、例えばカーペットやソファー等に用いるリビングファブリックを、清掃用シート２０によって清掃する際に使用される。本実施形態の清掃用具１０は、清掃用シート２０を装着して用いられ、清掃用シート２０が水溶液を含浸したウエットシートである場合でも、清掃中、清掃用シート２０に直接手を触れさせることなく、使用できるようにすると共に、リビングファブリックの被清掃面を清掃する際の操作性を向上させ、また被清掃面に清掃用シート２０を安定した状態で広範囲に押し付けることを可能にして、清掃効果を高めることができるようにする機能を備えている。
【００１３】
そして、本実施形態の清掃用具１０は、好ましくは一枚の板状シート材１１を複数の折曲げ線１２ａ，１２ｂに沿って折り曲げることにより形成され、縁部分に複数の係止用切込み２１ａ，２１ｂが形成された清掃用シート２０を装着して用いる清掃用具であって、図１及び図２に示すように、一対の外開き押圧部１３と、一対の外開き押圧部１３の間の部分に立設して配置される立設把持部１５とを備えている。立設把持部１５の立設基端部に、基端部折曲げ線１２ａを介して一対の外開き押圧部１３が連接している。立設把持部１５は、好ましくは中間部折曲げ線１２ｂを介して立設基端部とは反対側の先端部分で２つ折りに折り曲げられることで、一対の対向面部１５ａが対向して配置されるようになっている。一対の外開き押圧部１３は、清掃用シート２０の係止用切込み２１ａ，２１ｂに挿入係止される係止用突片１４ａ，１４ｂを周縁部に備える。また、本実施形態では、一対の外開き押圧部１３は、好ましくは一対の対向面部１５ａによる立設把持部１５の立設基端部から基端部折曲げ線１２ａを介して外開きに折り曲げられて、１８０°に満たない開き角度θを保持して配置されるようになっている。
【００１４】
本実施形態では、清掃用具１０は、好ましくは図３に示すような、一枚の板状シート材１１を用いて簡易に形成することができる。板状シート材１１は、側縁部を把持して片持ち状に水平に延設させた場合でも、折れ曲がることなく、好ましくは水平に延設した状態や滑らかに湾曲した状態を容易に保持できる程度の保形剛性を備える薄板状のシート部材であって、合成樹脂製の薄板状のシート材料や、ダンボール、厚紙等による紙製の薄板状のシート材料を、所定の平面形状を備えるように成形したり、打ち抜いて裁断したりすることによって、容易に得ることができる。清掃用具１０に装着される清掃用シート２０が、水溶液を含浸したウエットシートである場合には、板状シート材１１として、耐水性を備えるシート材料からなるものを用いること好ましい。本実施形態では、板状シート材１１は、例えば２．０ｍｍ程度の厚さの発泡ポリプロピレンを用いて、図３に示す平面形状（展開形状）を備えるように形成されている。
【００１５】
すなわち、本実施形態では、板状シート材１１は、係止用突片１４ａ，１４ｂの部分を含む全体として、例えば縦幅が１５０ｍｍ程度、横幅が２８０ｍｍ程度の大きさの、両側の側縁部から複数の係止用突片１４ａ，１４ｂが張り出した横長の略矩形の平面形状を有しており、中央部を縦方向に横断して、例えば罫線加工を施すことによって形成された中間部折曲げ線１２ｂが、略矩形の平面形状の長辺部と垂直な方向に延設した状態で設けられている。中間部折曲げ線１２ｂの両端部は、切り込みにより弧状に面取りされた状態で、一対の長辺部と各々接続している。また、中間部折曲げ線１２ｂを挟んだ両側には、中間部折曲げ線１２ｂから２０〜７０ｍｍ程度離間して、一対の基端部折曲げ線１２ａが、中間部折曲げ線１２ｂと平行に延設して、中間部折曲げ線１２ｂを対称軸として対称に配置された状態で設けられている。
【００１６】
さらに、本実施形態では、板状シート材１１は、横長の略矩形の平面形状の両側の短辺部分に、外側に張り出すようにして、複数の係止用突片１４ａ，１４ｂが、中間部折曲げ線１２ｂを対称軸として対称に配置された状態で各々設けられている。係止用突片１４ａ，１４ｂは、図４に示す清掃用シート２０に形成された複数の係止用切込み２１ａ，２１ｂと対応する位置に配設されており、４箇所の角部から略対角方向外側に張り出して設けられた、横方向と縦方向の間の斜め方向に張り出す斜め係止用突片１４ａと、短辺部分の中間部から横長方向に張り出して設けられた中間部係止用突片１４ｂとを含んで形成されている。
【００１７】
そして、本実施形態では、図１に示すように、板状シート材１１を、例えば中間部折曲げ線１２ｂを山折り線として二つ折りにすることで、中間部折曲げ線１２ｂの両側部分を折り重ねるようにすると共に、一対の基端部折曲げ線１２ａを谷折り線として、基端部折曲げ線１２ａよりも外側部分を外開きに折り広げることによって、折り広げられた両側の外側部分による一対の外開き押圧部１３が形成される。また折り重ねられた中間部折曲げ線１２ｂと基端部折曲げ線１２ａとの間の部分を一対の対向面部１５ａとして、立設把持部１５が、一対の外開き押圧部１３の間の部分に立設して配置される。これらによって、斜め係止用突片１４ａ及び中間部係止用突片１４ｂを周縁部に備える一対の外開き押圧部１３と、立設把持部１５とを有する立体形状の清掃用具１０を、容易に形成することが可能になる。
【００１８】
ここで、立設把持部１５が、対向して配置された一対の対向面部１５ａによって形成されていることにより、上方に延設する立設把持部１５に所望の高さを保持することが容易になって、立設把持部１５を把持し易くなると共に、立設把持部１５が２層の対向面部１５ａによって形成されることにより、立設把持部１５の強度を容易に担保することが可能になり、また板状シート材１１を二つ折りにすることによって、一対の対向面部１５ａによる立設把持部１５を簡易に形成することが可能になる。
【００１９】
また、このようにして形成された清掃用具１０は、板状シート材１１が、上述のような保形剛性を備えていることにより、中間部折曲げ線１２ｂや基端部折曲げ線１２ａを介して折り曲げられた状態から、元の形状に戻ろうとすることによって、立設把持部１５の一対の対向面部１５ａの間には、中間部折曲げ線１２ｂを頂点とする三角形状の隙間が生じると共に、一対の外開き押圧部１３は、好ましくは１８０°に満たない開き角度θを保持した状態で、配置されるようになっている。一対の外開き押圧部１３は、より好ましくは１０〜１７０°、さらに好ましくは４５〜１５０°、一層好ましくは８０〜１２０°の開き角度θを保持した状態で、配置されるようになっている。形成された立体形状の清掃用具１０は、好ましくは後述する清掃用シート２０の平面形状よりも一回り小さな、平面視して略矩形状の平面形状を備えることになる。
【００２０】
清掃用具１０に装着される清掃用シート２０は、本願出願人の出願に係る特願２０１７−１４１３４６に記載のシート状の清掃具と同様の構成を備える清掃用のシートを、好ましく用いることができる。すなわち、清掃用シート２０は、例えば、単層又は多層構造のシート材からなるものを使用することができる。清掃用シート２０を構成するシート材は、親水性繊維、疎水性繊維、又はこれらを組み合わせたものを含んでいることが好ましい。本発明の清掃用具は、特に清掃用シート２０として、水溶液を含浸したウエットシートを装着して用いることが有用である。ウエットシートに含浸する水溶液として、水、洗浄液、ワックス等が挙げられる。
【００２１】
本実施形態では、清掃用シート２０は、好ましくは１．０〜６．０ｍｍ程度の厚さを有する不織布で構成されたシート材料となっており、図４に示すように、縦幅が１００〜２００ｍｍ程度、横幅が５０〜１５０ｍｍ程度の大きさの、縦長矩形状の平面形状を備えている。清掃用シート２０には、これの縁部分に、複数の係止用切込み２１ａ，２１ｂ，２１ｃが形成されている。すなわち、縦長矩形状の清掃用シート２０の４箇所の角部分には、略４半円弧形状の角部係止用切込み２１ａが各々形成されており、左右両側の長辺部分の中間部には、略Ｓ字形状の中間部係止用切込み２１ｂが各々形成されている。また上下の短辺部分の中間部には、円弧形状の補助係止用切込み２１ｃが各々形成されている。
【００２２】
本実施形態では、清掃用シート２０は、図２に示すように、４箇所の角部係止用切込み２１ａに、外開き押圧部１３の斜め係止用突片１４ａを各々挿入係止すると共に、２箇所の中間部係止用切込み２１ｂに、外開き押圧部１３の中間部係止用突片１４ｂを各々挿入係止することによって、上述の構成を備える清掃用具１０に、着脱可能に装着することができる。立設把持部１５は清掃用シート２０の縦方向に延びて装着される。清掃用具１０は、清掃用シート２０の平面形状よりも一回り小さな略矩形状の平面形状を備えており、また一対の外開き押圧部１３は、好ましくは１８０°に満たない開き角度θを保持しているので、斜め係止用突片１４ａや中間部係止用突片１４ｂを、角部係止用切込み２１ａや中間部係止用切込み２１ｂに挿入係止して、清掃用シート２０を清掃用具１０に装着する作業を、容易に且つスムーズに行うことが可能になる。
【００２３】
また、清掃用シート２０が装着された清掃用具１０は、清掃作業を行う際に立設把持部１５を把持する把持力によって、図５に示すように、一対の対向面部１５ａの間の三角形状の隙間が、好ましくは一対の対向面部１５ａが密着するまで、狭まるように変形することになる。これに伴って、好ましくは１８０°に満たない角度に保持された一対の外開き押圧部１３の開き角度θは、さらに小さくなるので、被清掃面を押圧した際の外開き押圧部１３の可動域が増大することになって、被清掃面に外開き押圧部１３が追従し易くなることにより、清掃効果をさらに高めることが可能になる。好ましくは立設把持部１５の一対の対向面部１５ａを密着させた状態は、一対の対向面部１５ａの少なくとも一部が密着した状態を保持する保持手段として、例えば接着剤の他、面ファスナー、クリップ止め等を用いることによって、容易に保持することができる。
【００２４】
そして、上述の構成を備える本実施形態の清掃用具１０によれば、清掃用シート２０を装着した状態で用いられて、清掃中に清掃用シート２０に手や掌を触れさせることなく、清掃用シート２０によって被清掃面を清掃する際の操作性を向上させることができると共に、特にカーペットやソファー等に用いるリビングファブリックの清掃を行う際に、被清掃面に清掃用シート２０を安定した状態で広範囲に押し付けて、清掃効果を高めることが可能になる。
【００２５】
すなわち、本実施形態によれば、清掃用具１０は、一対の外開き押圧部１３と、これらの間の部分に立設する立設把持部１５とを備えており、立設把持部１５の立設基端部に、基端部折曲げ線１２ａを介して一対の外開き押圧部１３が接続しており、一対の外開き押圧部１３は、清掃用シート２０に係止される係止用突片１４ａ，１４ｂを周縁部に備えている。
【００２６】
これによって、本実施形態の清掃用具１０は、好ましくは清掃用シート２０が水溶液を含浸したウエットシートである場合でも、立設把持部１５を把持しながら、清掃中は外開き押圧部１３に装着された清掃用シート２０に手や掌を触れさせることなく、清掃作業を行うことが可能になる。また、立設把持部１５からの押し付け力を被清掃面に伝えながら可動できるので、特にカーペットやソファー等に用いるリビングファブリックの清掃を行う際に、押し付け力を保持したまま、清掃用シート２０や外開き押圧部１３が被清掃面の形状に容易に追随することが可能になることで、操作性を向上させると共に、好ましくは清掃用シート２０に含浸された水溶液を十分に徐放させながら、安定した状態で、被清掃面に清掃用シート２０を広範囲に押し付けさせて、清掃効果を高めることが可能になる。更に、一対の外開き押圧部１３は、好ましくは１８０°に満たない開き角度θを保持して配置されるようになっており、例えば１８０°に至る開き角度θまで、立設把持部１５からの押し付け力を一層効率良く被清掃面に伝えながら可動でき、被清掃面への追随性、操作性を向上させ、安定した状態での清掃効果を高めることが可能になる。
【００２７】
また、本実施形態では、清掃用具１０は、好ましくは一枚の板状シート材１１を用いて簡易に形成することができ、板状シート材１１は、例えば中間部折曲げ線１２ｂを介して二つ折りにして折り重ねた際に、一対の外開き押圧部１３同士を重ねて平坦に畳まれた状態とすることが可能となっている。また板状シート材１１は、一対の外開き押圧部１３同士を重ねて平坦に畳まれた状態で、好ましくは矩形状の平面形状を有する清掃用シート２０と同様の大きさの平面形状を備えるようになっている。本実施形態の清掃用具１０は、例えば清掃用シート２０に、二つ折りにした板状シート材１１を重ねた状態で、一体としてコンパクトに包装して、当該清掃用具１０と清掃用シート２０とを組み合わせたセット製品として、製造したり販売したりすることもできる。セット製品においては、清掃用シート２０は、一枚でもよく、複数枚を積層させた状態としてもよい。
【００２８】
図６は、本発明の好ましい他の実施形態に係る清掃用具１０’を例示するものである。図６に示す他の実施形態の清掃用具１０’では、立設把持部１６の構成が相違していること以外は、上記実施形態の清掃用具１０と略同様の構成を備えている。なお、図６に示す他の実施形態の清掃用具１０’に関して、上記実施形態の清掃用具１０と異なる構成部分について主として説明し、同様の構成部分については同一の符号を付して説明を省略している。特に言及しない構成部分については、上記実施形態の清掃用具１０に関する説明が適宜適用される。
【００２９】
図６に示す他の実施形態の清掃用具１０’では、中間部折曲げ線１２ｂを介して立設基端部とは反対側の先端部分で２つ折りに折り曲げられることによって形成された立設把持部１６は、一対の対向面部１６ａの少なくとも一部として、立設基端部側の略１／３の部分が、密着部１６ｂとして、例えば接着剤等を介して密着された状態が保持されている。また、中間部折曲げ線１２ｂと密着部１６ｂとの間の部分が、密着部１６ｂの先端部に設けられた谷折り線１６ｃ、及び谷折り線１６ｃと中間部折曲げ線１２ｂとの間の部分に設けられた山折り線１６ｄを介して折り曲げられることによって、立設把持部１６は、一対の対向面部１６ａの密着部１６ｂよりも立設基端部とは反対側の先端側に、４角形の中空の断面形状を有する幅広係止部１７を備えている。
【００３０】
図６に示す他の実施形態の清掃用具１０’によれば、一対の外開き押圧部１３と、これらの間の部分に立設する立設把持部１６とを備えており、一対の外開き押圧部１３は、清掃用シート２０に係止される係止用突片１４ａ，１４ｂを周縁部に備え、好ましくは１８０°に満たない開き角度θを保持して配置されるようになっているので、上記実施形態の清掃用具１０と略同様の作用効果を奏することになる。これに加えて、他の実施形態の清掃用具１０’は、立設把持部１６が、一対の対向面部１６ａの密着部１６ｂよりも先端側に、幅広係止部１７を備えているので、この幅広係止部１７に手や指を係止することにより把持し易くなって、操作性をさらに向上させることで、より安定した状態で、被清掃面の清掃作業を行うことが可能になる。
【００３１】
なお、本発明は上記各実施形態に限定されることなく種々の変更が可能である。例えば、本発明の清掃用具は、平面視して略矩形状の平面形状を備えている必要は必ずしも無く、円形状や多角形状等、その他の種々の平面形状を備えていても良い。清掃用具に装着される清掃用シートは、水溶液を含浸したウエットシートである必要は必ずしも無く、水溶液を含浸していないドライシートであっても良い。本発明の清掃用具は、カーペットやソファー等に用いるリビングファブリックに限定されることなく、その他の種々の被清掃面を清掃する際に用いることもできる。本発明の清掃用具は、一枚の板状シート材を折り曲げることにより形成される必要は必ずしも無く、複数の板状シート材を用いて形成されていても良い。例えば、折曲げ線を介して折り曲げられた外開き押圧部と対向面部とからなる一対の板状シート材を、折曲げ線の部分を近接させた状態で対向面部の少なくとも一部を互いに密着させることによって、一対の外開き押圧部と立設把持部とを備える清掃用具を形成することもできる。
【００３２】
また、係止用突片１４ａは、斜め方向ではなく、横方向に張り出して設けられていてもよく、又は縦方向に張り出して設けられていてもよい。
また、清掃用具１０は、板状シート材１１の縦幅長さを小さく調整し、横幅長さを大きく調整し、折曲げ線から折り曲げ且つ９０度回転させて、立設把持部１５を清掃用シート２０の横方向に延びるように装着してもよい。このとき、中間部係止用突片１４ｂは、補助係止用切込み２１ｃに挿入係止してもよい。
【符号の説明】
【００３３】
１０，１０’  清掃用具
１１  板状シート材
１２ａ  基端部折曲げ線
１２ｂ  中間部折曲げ線
１３  外開き押圧部
１４ａ  斜め係止用突片
１４ｂ  中間部係止用突片
１５，１６  立設把持部
１５ａ，１６ａ  対向面部
１６ｂ  密着部
１６ｃ  谷折り線
１６ｄ  山折り線
１７  幅広係止部
２０  清掃用シート
２１ａ  角部係止用切込み
２１ｂ  中間部係止用切込み
２１ｃ  補助係止用切込み
θ    開き角度
【図１】
2020028433.tif 000003
【図２】
2020028433.tif 000004
【図３】
2020028433.tif 000005
【図４】
2020028433.tif 000006
【図５】
2020028433.tif 000007
【図６】
2020028433.tif 000008